(57)【要約】【課題】正極上の不純物を取り除いて耐久性を向上させる。【解決手段】空気中の酸素を正極活物質として用いる正極２とリチウム金属を負極活物質として用いる負極３とをケース５内の電解液４に浸漬してなるリチウム空気電池１において、正極２及び負極３とは別設されて電解液４に浸漬された第三極１０と、第三極１０と正極２との間に電圧を印加可能な電圧装置１１と、電池１の放電容量Dを推定するとともに、推定した放電容量Dが所定値Dp未満の場合に、電圧装置１１によって電圧Vrを印加して正極２上に堆積した不純物を分解する分解制御を実施する制御装置３０と、を設けた。【選択図】図１
2017107692.tif 000002
【特許請求の範囲】
【請求項１】
空気中の酸素を正極活物質として用いる正極とリチウム金属を負極活物質として用いる負極とをケース内の電解液に浸漬してなるリチウム空気電池において、
前記正極及び前記負極とは別設されて前記電解液に浸漬された第三極と、
前記正極と前記第三極との間に電圧を印加可能な電圧装置と、
前記電池の放電容量を推定するとともに、推定した前記放電容量が所定値未満の場合に、前記電圧装置によって前記電圧を印加して前記正極上に堆積した不純物を分解する分解制御を実施する制御装置と、
を備えたことを特徴とする、リチウム空気電池。
【請求項２】
前記負極と前記第三極との間の抵抗値を測定する測定装置を備え、
前記制御装置は、前記抵抗値が規定値から変化した場合には、前記放電容量の大きさにかかわらず前記分解制御を実施する
ことを特徴とする、請求項１記載のリチウム空気電池。
【請求項３】
前記ケース内の前記電解液を排出するとともに新たな前記電解液を前記ケース内に供給する入替装置を備え、
前記制御装置は、前記分解制御を実施したときは当該分解制御後に前記入替制御を実施する
ことを特徴とする、請求項１又は２記載のリチウム空気電池。
【請求項４】
空気中の酸素を正極活物質として用いる正極と、リチウムを負極活物質として用いる負極と、前記正極及び前記負極とは別設された第三極とをケース内の電解液に浸漬してなるリチウム空気電池を再生する方法であって、
前記電池の放電容量を所定のタイミングで推定する推定工程と、
前記推定工程で推定された前記放電容量が所定値未満であるときに、前記正極と前記第三極との間に電圧を印加して前記不純物を分解する分解工程と、
を備えたことを特徴とする、リチウム空気電池の再生方法。
【請求項５】
前記負極と前記第三極との間の抵抗値を所定のタイミングで測定する測定工程を備え、
前記測定工程で測定された前記抵抗値が規定値から変化した場合には、前記放電容量の大きさにかかわらず前記分解工程を実施する
ことを特徴とする、請求項４記載のリチウム空気電池の再生方法。
【請求項６】
前記分解工程後に、前記ケース内の前記電解液を排出するとともに新たな前記電解液を前記ケース内に供給する入替工程を備えた
ことを特徴とする、請求項４又は５記載のリチウム空気電池の再生方法。
【発明の詳細な説明】
【技術分野】
【０００１】
本発明は、リチウム空気電池及びその再生方法に関する。
【背景技術】
【０００２】
近年、車両用バッテリとして普及しているリチウムイオン二次電池に代わる次世代の二次電池の開発が進められている。次世代の二次電池の一つに、正極活物質として空気中の酸素を用い、負極活物質として金属（例えばリチウムや亜鉛等）を用いた空気電池がある（例えば特許文献１）。空気電池は、正極活物質が酸素であることから正極活物質の重量が軽く、エネルギー密度が高い電池となることが期待されている。
【先行技術文献】
【特許文献】
【０００３】
【特許文献１】国際公開第２０１５／１１５４８０号パンフレット
【発明の概要】
【発明が解決しようとする課題】
【０００４】
ところで、負極活物質にリチウムを用いたリチウム空気電池では、正極上でリチウムイオンと酸素とが直接的に反応することから、正極上に放電生成物が堆積することが知られている。この放電生成物は、空気中の二酸化炭素や電池内の電解液と副反応を起こし、正極上に不純物が堆積していく。この不純物は、通常の充放電ではほとんど分解されずに正極上に残存し、正極の目詰まりを引き起こして電池劣化（放電容量の低下）を招く要因となる。
【０００５】
本件は、このような課題に鑑み案出されたもので、リチウム空気電池及びその再生方法に関し、正極上の不純物を取り除いて耐久性を向上させることを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示するリチウム空気電池は、空気中の酸素を正極活物質として用いる正極とリチウム金属を負極活物質として用いる負極とをケース内の電解液に浸漬してなるリチウム空気電池において、前記正極及び前記負極とは別設されて前記電解液に浸漬された第三極と、前記正極と前記第三極との間に電圧を印加可能な電圧装置と、前記電池の放電容量を推定するとともに、推定した前記放電容量が所定値未満の場合に、前記電圧装置によって前記電圧を印加して前記正極上に堆積した不純物を分解する分解制御を実施する制御装置と、を備えたことを特徴としている。
【０００７】
（２）本リチウム空気電池は、前記負極と前記第三極との間の抵抗値を測定する測定装置を備えることが好ましい。この場合、前記抵抗値が規定値から変化した場合には、前記放電容量の大きさにかかわらず前記分解制御を実施することが好ましい。
（３）本リチウム空気電池は、前記ケース内の前記電解液を排出するとともに新たな前記電解液を前記ケース内に供給する入替装置を備えることが好ましい。この場合、前記制御装置は、前記分解制御を実施したときは当該分解制御後に前記入替制御を実施することが好ましい。
【０００８】
（４）ここで開示するリチウム空気電池の再生方法は、空気中の酸素を正極活物質として用いる正極と、リチウムを負極活物質として用いる負極と、前記正極及び前記負極とは別設された第三極とをケース内の電解液に浸漬してなるリチウム空気電池を再生する方法であって、前記電池の放電容量を所定のタイミングで推定する推定工程と、前記推定工程で推定された前記放電容量が所定値未満であるときに、前記正極と前記第三極との間に電圧を印加して前記不純物を分解する分解工程と、を備えたことを特徴としている。
【０００９】
（５）また、本再生方法は、前記負極と前記第三極との間の抵抗値を所定のタイミングで測定する測定工程を備えることが好ましい。この場合、前記測定工程で測定された前記抵抗値が規定値から変化した場合には、前記放電容量の大きさにかかわらず前記分解工程を実施することが好ましい。
（６）また、本再生方法は、前記分解工程後に、前記ケース内の前記電解液を排出するとともに新たな前記電解液を前記ケース内に供給する入替工程を備えることが好ましい。
【発明の効果】
【００１０】
電池の放電容量が所定値未満の場合に分解制御が実施され、正極上に堆積した不純物が分解される。すなわち、正極上の不純物を取り除いて正極を再生させることができるため、電池の耐久性を向上させることができる。
【図面の簡単な説明】
【００１１】
【図１】実施形態に係るリチウム空気電池の構成図である。
【図２】（ａ）リチウム空気電池の充放電回数に対する抵抗値の変化を示すグラフであり、（ｂ）はリチウム空気電池の時間経過に対する放電容量の変化を示すグラフである。
【図３】リチウム空気電池の再生方法を説明するフローチャートである。
【発明を実施するための形態】
【００１２】
図面を参照して、実施形態としてのリチウム空気電池及びその再生方法について説明する。以下に示す各実施形態はあくまでも例示に過ぎず、以下の各実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．基本構成］
図１に示すように、リチウム空気電池１（以下「電池１」という）は、空気中の酸素を正極活物質として用いる正極２と、リチウム金属を負極活物質として用いる負極３とが、ケース５内に充填された電解液４に浸漬して構成されたものである。本実施形態の電池１は、正極２が上方，負極３が下方に位置するようにケース５内に配置される。
【００１４】
正極２は、酸素の還元（放電）と過酸化リチウムの分解（充電）とが起こる酸化還元反応の場である。正極２は、多孔質構造を持ち導電性に優れた材料で形成された正極集電体２ａと、正極集電体２ａの先端に設けられてケース５の外部に配置された正極端子２ｂと、正極集電体２ａ上に設けられた反応層２ｃとを有する。正極端子２ｂは、正極集電体２ａと同一材料で形成される。反応層２ｃは、後述する導入孔７から取り入れられた空気中の酸素によって酸化還元反応が行われる層である。反応層２ｃは、酸化還元反応を促進する触媒２ｄを含む。触媒２ｄは、例えば炭素（C），金（Au），白金（Pt），ルテニウム（Ru）あるいはRuO2やMnO2などの遷移金属酸化物等で形成される。
【００１５】
負極３は、導電性に優れた材料で形成された負極集電体３ａと、負極集電体３ａの先端に設けられてケース５の外部に配置された負極端子３ｂと、負極集電体３ａ上に設けられたリチウム金属からなる金属層３ｃとを有する。
電解液４は、電解質を有機溶媒に溶解した有機電解液であり、負極３から放出されるリチウムイオンを伝導する機能を持つ。有機溶媒の種類は特に限られないが、例えばトリエチレングリコールジメチルエーテルやジメチルスルホキシド等の低極性溶媒を用いるのが好ましい。
【００１６】
ケース５は、撥水性に優れた材料で形成された容器であって、内部に充填された電解液４が外部へ漏れ出ないように構成される。ケース５の正極２側の側壁（本実施形態のケース５では上壁）には、ケース５内に空気を取り入れるための複数の微細な孔（以下「導入孔７」という）が設けられる。また、導入孔７が設けられた側壁と正極集電体２ａとの間には、電解液４の外部への漏洩が防ぐ撥水層６が介装される。
【００１７】
電池１の放電時における正極２及び負極３での反応について説明する。放電時では、負極３の金属層３ｃを構成するリチウム金属が酸化することにより、電解液４中にリチウムイオン（Li+）が放出される。負極３における酸化反応を式１に示す。
Li → Li+＋e-  ・・・式１
一方、正極２では、負極３から放出された電解液４中のリチウムイオン（Li＋）が導入孔７から取り入れられた空気に含まれる酸素と反応することによって、還元反応が行われる。正極２における還元反応を式２に示す。
2Li+＋2e-＋O2 → Li2O2  ・・・式２
【００１８】
このように電池１の放電時には、正極２及び負極３の酸化還元電位差により、負極３では酸化反応、及び、正極２では還元反応によって電子の移動が生じ、放電電流が生じる。また、電池１の充電時には、正極２及び負極３のそれぞれにおいて、式１，式２の逆反応が生じることとなる。
【００１９】
しかしながら、正極２での反応によって生成された過酸化リチウム（Li2O2）は、以下の式３に示すように、電解液４とも反応しうる。この反応によって生成されたリチウムアルキルカーボネート（LiRCO3）は、通常使用時（充放電時）には分解されず、正極２上に不純物として残存する。なお、式３中のRはアルキル基である。
Li2O2＋e-＋電解液 ≒ LiRCO3  ・・・式３
【００２０】
また、正極２での反応によって生成された過酸化リチウム（Li2O2）は、以下の式４に示すように、導入孔７から取り入れられた空気中の二酸化炭素とも副反応を起こす。この反応によって生成された炭酸リチウム（Li2CO3）も通常使用時（充放電時）には分解されず、正極２上に不純物として残存する。
Li2O2＋2CO2 → 2Li2CO3＋O2  ・・・式４
【００２１】
これらの不純物（LiRCO3，Li2CO3）は正極２上に堆積していくため、正極集電体２ａや反応層２ｃの目詰まりを引き起こし、その堆積量が増えるほど電池性能（放電容量）を低下させる。
これに対し、本実施形態の電池１は、正極２上に堆積した不純物を分解して正極２から取り除くことにより、正極２を再生させる構成（以下「再生構成」という）を有する。
【００２２】
［２．再生構成］
再生構成は、第三極１０，電圧装置１１，測定装置１２，入替装置２０，制御装置３０から構成される。
第三極１０は、正極２及び負極３とは別設された第三の電極であり、正極２及び負極３の間に配置されて電解液４に浸漬される。第三極１０の一端はケース５の外部に設けられる。第三極１０は、リチウム金属を析出しやすい性質を持つ金属、例えば銅（Cu）やニッケル（Ni），ステンレス鋼（SUS）等で形成される。
【００２３】
電圧装置１１は、正極２と第三極１０との間を接続する回路上に設けられ、正極２と第三極１０との間に所定の電圧Vrを印加可能な装置である。電圧装置１１は、制御装置３０によってオン状態に制御されることで、正極２と第三極１０との間に電圧Vrを印加する。また、オフ状態に制御されることで、電圧Vrの印加を終了する。この電圧Vrは、電池１の通常使用時（充放電時）に生じる電圧値よりも高い電圧値である。電圧装置１１により正極２及び第三極１０の間に電圧Vrが印加されると、通常使用時の電圧では分解されなかった正極２上の不純物が分解されて電解液４中へ溶け出すことから、正極２から不純物が取り除かれる。
【００２４】
測定装置１２は、負極３と第三極１０との間を接続する回路上に設けられ、負極３と第三極１０との間の抵抗値Rを所定のタイミングで測定する装置である。電池１の抵抗値Rは、図２（ａ）に示すように、予め一定の規定値Raが定められているが、充放電を繰り返すことで（すなわち時間の経過とともに）電解液４が劣化していき、これに伴って規定値Raから変化していく。そのため、測定装置１２によって抵抗値Rを測定することで、電解液４の劣化を判断することが可能となる。なお、測定装置１２による測定のタイミングは任意であり、例えば所定の周期（時間）を設定して定期的に推定してもよい。あるいは、充放電回数（サイクル数）が所定回数に達したときに測定してもよいし、電池１の使用（放電）を開始するタイミングを測定のタイミングとして、使用するたびに測定してもよい。測定装置１２は、測定した抵抗値Rを制御装置３０に伝達する。
【００２５】
入替装置２０は、ケース５内の電解液４を排出するとともに、新たな電解液４をケース５内に供給する装置である。すなわち、使用済みの電解液４（廃液）を未使用のものに交換する。本実施形態の入替装置２０は、補給タンク２１，補給管２２，ポンプ２３，供給弁２４からなる補給装置と、回収タンク２５，排出管２６，ポンプ２７，排出弁２８からなる排出装置とから構成される。
【００２６】
補給タンク２１は、新しい電解液４を貯留しておくタンクであり、補給口２１ａを有する。補給管２２は、補給タンク２１とケース５との間を接続する配管であり、ポンプ２３を介装する。供給弁２４は、補給管２２のケース５側の端部に設けられ、開弁することで補給管２２とケース５とを連通させる。供給弁２４が開いた状態でポンプ２３が作動すると、補給タンク２１内の電解液４がケース５に供給される。なお、ポンプ２３の作動状態及び供給弁２４の開閉状態は、制御装置３０により制御される。
【００２７】
回収タンク２５は、使用後の電解液４を回収するタンクであり、排出口２５ａを有する。排出管２６は、回収タンク２５とケース５との間を接続する配管であり、ポンプ２７を介装する。排出弁２８は、排出管２６のケース５側の端部に設けられ、開弁することで排出管２６とケース５とを連通させる。排出弁２６が開いた状態でポンプ２７が作動すると、ケース５内の電解液４が回収タンク２５へと排出される。なお、ポンプ２６の作動状態及び排出弁２８の開閉状態は、制御装置３０により制御される。
【００２８】
制御装置３０は、電池１の放電容量Dを所定のタイミングで推定するとともに、推定した放電容量Dに基づいて正極２上に堆積した不純物を分解する分解制御を実施する。さらに、制御装置３０は、電解液４を新しいものに入れ替える必要があるか否かを判断して、必要があれば電解液４を入れ替える入替制御を実施する。
【００２９】
ここでいう放電容量Dとは、電池１の満充電時の最大電池容量を意味する。放電容量Dは、図２（ｂ）に示すように、新品時（時間＝0）では100［％］であり、電池１の充放電を繰り返すことで（すなわち時間の経過とともに）徐々に低下していく。これは、上述したように、不純物が正極２上に堆積していくためである。そこで、本実施形態の制御装置３０は、定期的に放電容量Dを推定して、その値が所定値Dpを下回っていないかを判定する。この所定値Dpは、電池１の劣化を判断するための閾値であり、予め設定される。
【００３０】
放電容量Dの推定方法としては、例えば、電池１を全て充電させたのち放電したときの容量を測定する方法や、充放電履歴を追跡，積算する方法や、起電力を測定することで容量を推測する方法など、周知の方法を適用可能である。なお、放電容量Dの推定タイミングは任意であり、例えば所定の周期（時間）を設定して定期的に推定してもよい。あるいは、充放電回数（サイクル数）が所定回数に達したときに放電容量Dを推定してもよい。なお、放電容量Dを定期的に推定する場合に設定される周期は上記の抵抗値Rの測定周期よりも長く、例えば数日〜数週間に設定することが好ましい。これは、放電容量Dの推定が抵抗値Rの測定に比べて時間を要するためや演算負荷が大きいためである。
【００３１】
制御装置３０は、放電容量Dが所定値Dp未満である場合には、正極２上の不純物を除去する必要があると判断し、測定装置１２で測定された抵抗値Rの大きさにかかわらず分解制御を実施する。分解制御は、電池１の充放電時以外のタイミングで行う。例えば、電池１を満充電して、正極上から放電生成物である過酸化リチウム（Li2O2）を取り除いたのちに、分解制御を開始する。また、電池１を車両に搭載した場合には、車両を充電器に接続した状態のときに分解制御を開始するのが好ましい。分解制御では、制御装置３０は、電圧装置１１を制御して正極２及び第三極１０の間に電圧Vrを印加する。これにより、正極２上の不純物が分解され、正極２から取り除かれて電解液４中に溶け出す。なお、制御装置３０は、電圧Vrを印加し始めてから通電電流値が所定電流値未満になったとき、分解制御を終了する。
【００３２】
分解制御では、通常使用時よりも高い電圧を印加すると不純物を分解することができるが、一方で高い電圧が印加されることにより電解液４が壊れ、電解液４としての機能を発揮しえない状態となることがある。そのため、制御装置３０は、分解制御を実施した場合には、電解液４を新しいものに入れ替える必要があると判断する。この場合には、分解制御の終了後に続けて入替制御が実施される。
また、制御装置３０は、測定装置１２で測定された抵抗値Rが規定値Raから変化した場合にも電解液４を入れ替える必要があると判断する。本実施形態の制御装置３０は、抵抗値Rが予め設定された閾値Rthを上回ったときに、「規定値Raから変化した」と判断する。
【００３３】
入替制御では、制御装置３０は、排出弁２８を開けるとともにポンプ２７を作動させて、ケース５内の電解液４を回収タンク２５へと排出する。排出が完了すると、ポンプ２７を停止させるとともに排出弁２８を閉じる。続けて、供給弁２４を開けるとともにポンプ２３を作動させて、補給タンク２１内の電解液４をケース５内に補給する。補給が完了すると、ポンプ２３を停止させるとともに供給弁２４を閉じる。
【００３４】
［３．再生方法］
図３は、上述の電池１の正極２を再生させる方法を例示したフローチャートである。このフローチャートは制御装置３０において所定の演算周期で実施される。本実施形態では、このフローチャートの演算周期と同一の周期で測定装置１２により抵抗値Rが測定されるものとする（測定工程）。なお、制御装置３０は、このフローチャートとは別に、所定周期で放電容量Dを推定し（推定工程）、推定結果を記憶，更新していくものとする。そして、このフローチャートを実施するときには、直近の（最新の）放電容量Dの値を取得する。
【００３５】
ステップＳ１では、直近の放電容量Dが所定値Dp未満であるか否かが判定される。この条件が成立するときにはステップＳ４に進み、不成立のときにはステップＳ２に進む。ステップＳ２では、測定装置１２で測定された抵抗値Rが取得され、続くステップＳ３では、抵抗値Rが閾値Rthよりも大きいか否かが判定される。この条件が成立するときにはステップＳ４に進み、不成立のときにはこの演算周期での制御を終了する。
【００３６】
ステップＳ４では、上述した分解制御が実施される。すなわち、正極２と第三極１０との間に電圧Vrが印加されて不純物が分解される（分解工程）。続くステップＳ５では、上述した入替制御が実施される。すなわち、ポンプ２７及び排出弁２８が制御されてケース５内の電解液４が排出されるとともに、ポンプ２３及び供給弁２４が制御されて新たな電解液４がケース５内に供給される（入替工程）。このように、本再生方法では、放電容量Dが所定値Dpを下回った場合、または、抵抗値Rが閾値Rthを上回った場合に、分解制御が実施されるとともに、その分解制御の終了後に続けて入替制御が実施される。
【００３７】
［４．作用，効果］
（１）上述した電池１には、電池１に正極２及び負極３とは別の第三の電極１０が設けられるとともに、正極２と第三極１０との間に電圧Vrを印加しうる電圧装置１１が設けられる。そして、電池１の放電容量Dが所定値Dp未満の場合に分解制御が実施され、正極２上に堆積した不純物が分解される。これにより、正極２を再生させることができるため、電池１の耐久性を向上させることができる。また、放電容量Dの低下を分解制御の開始条件とすることで、正極２上の不純物の堆積状態（正極２の性能劣化）を適切に判断することができる。
【００３８】
（２）上述した電池１では、負極３と第三極１０との間の抵抗値Rが規定値Raから変化した場合には、放電容量Dが所定値Dp未満でなくても（放電容量Dの大きさにかかわらず）分解制御が実施される。抵抗値Rが規定値Raから変化した場合には、電解液４が劣化している可能性が高く、正極２も劣化している可能性がある。そのため、この場合には、放電容量Dが所定値Dp以上であっても分解制御を実施することで、正極２上の不純物が分解されるため、正極２を再生させることができ、電池１の耐久性を向上させることができる。
【００３９】
（３）上述した電池１では、分解制御が実施された場合には、その分解制御後に入替制御が実施される。これにより、分解制御により壊れてしまった電解液４を新しいものに交換することができるため、電池１を再び使用できる状態にすることができ、耐久性を向上させることができる。
【００４０】
さらに、本実施形態の電池１では、上述したように、負極３と第三極１０との間の抵抗値Rが規定値Raから変化した場合には、放電容量Dが所定値Dp以上であっても分解制御が実施される。すなわち、正極２上に不純物がそれほど多く堆積していなくても、抵抗値Rが変化した場合（電解液４が劣化している可能性が高い場合）には、まず分解制御を実施して正極２を再生させたうえで入替制御を行う。このように、抵抗値Rに基づいて分解制御を実施することで、電解液４の入替制御の実施回数を減らすことができる。これにより、電池１の耐久性をより向上させることができる。
【００４１】
［５．変形例］
上述した電池１の再生構成は一例であって、上述したものに限られない。例えば、制御装置３０は、放電容量Dの低下の判定と、抵抗値Rの変化の判定との順番を逆にしてもよい。すなわち、抵抗値Rが規定値Raから変化したか否かを先に判定し、変化した場合には電解液４を新しいものに入れ替える必要があると判断する。この場合、制御装置３０は、放電容量Dの大きさにかかわらず分解制御を実施するとともに、この分解制御の終了後に入替制御を実施することが好ましい。
【００４２】
つまり、制御装置３０は、以下の条件Ａ，Ｂの少なくとも一方が成立したら分解制御を実施し、次いで入替制御を実施することが好ましい。
条件Ａ：放電容量Dが所定値Dp未満である。
条件Ｂ：抵抗値Rが規定値Raから変化した。
なお、上述した入替装置２０の具体的な構成は特に限られず、例えば補給タンク２１，回収タンク２５と電池１との配置を工夫してポンプ２３，２７を省略してもよい。
【符号の説明】
【００４３】
１  電池（リチウム空気電池）
２  正極
３  負極
４  電解液
５  ケース
１０  第三極
１１  電圧装置
１２  測定装置
２０  入替装置
３０  制御装置
D  放電容量
Dp  所定値
R  抵抗値
Ra  規定値
Rth  閾値
Vr  所定の電圧
【図１】
2017107692.tif 000003
【図２】
2017107692.tif 000004
【図３】
2017107692.tif 000005